(57)【要約】      （修正有）【課題】梳きハサミにおける髪の毛を切りすぎを防止する。【解決手段】櫛歯１２５の刃先には、把手部側に位置する尖端部１５０と、尖端部１５０に連続して二つの段部１５１、１５２と、が形成されており、尖端部１５０の高さは段部１５１、１５２よりも高く形成されており、段部１５１、１５２の高さは尖端部１５０から遠ざかるほど低くなる。各櫛歯には第一乃至第Ｎの段部が形成されている。他方のハサミ形成部材の刃部と各段部との間に挟まれた髪の毛のうちのいくらかの量が第一の段部から第二の段部へ、さらに、第二の段部から順次第Ｎの段部へ、最後に、第Ｎの段部から開口部に落ち込む。開口部に落ち込んだ髪の毛はハサミによっては切られない。このため、髪の毛の切りすぎを防止することが可能である。【選択図】図２
0003143522.tif 000002
【実用新案登録請求の範囲】
【請求項１】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は平刃であり、
前記一対のハサミ形成部材の他方には、長さ方向に開口部が相互に間隔を開けて形成されることにより、隣接する開口部の間に櫛歯が形成されており、
前記櫛歯の刃先には、前記ハサミの前記把手部側に位置する尖端部と、前記尖端部に連続して第一乃至第Ｎ（Ｎは２以上の整数）の段部と、が形成されており、
前記尖端部の高さは前記段部よりも高く形成されており、前記段部の高さは前記尖端部から遠ざかるほど低くなるものであるハサミ。
【請求項２】
前記段部の各々は前記ハサミの前記把手部側から前記ハサミの先端側に向かって低くなる傾斜面を有していることを特徴とする請求項１に記載のハサミ。
【請求項３】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は平刃であり、
前記一対のハサミ形成部材の他方には、長さ方向に開口部が相互に間隔を開けて形成されることにより、隣接する開口部の間に櫛歯が形成されており、
前記櫛歯の刃先には、尖端部と、前記尖端部の両側に位置する第一乃至第Ｎ（Ｎは２以上の整数）の段部と、が形成されており、
前記尖端部の高さは前記段部よりも高く形成されており、前記段部の高さは前記尖端部から遠ざかるほど低くなるものであるハサミ。
【請求項４】
前記段部の各々は水平な頂面を有していることを特徴とする請求項１または３に記載のハサミ。
【請求項５】
前記段部の各々は前記尖端部から前記ハサミの先端側または前記把手部側に向かって低くなる傾斜面を有していることを特徴とする請求項３に記載のハサミ。
【請求項６】
前記傾斜面の傾斜角度は一定であることを特徴とする請求項２または５に記載のハサミ。
【請求項７】
前記尖端部から最も離れた位置にある段部の前記傾斜面の傾斜角度が全ての段部の傾斜面の傾斜角度の中で最大であることを特徴とする請求項２または５に記載のハサミ。
【考案の詳細な説明】
【技術分野】
【０００１】
本考案はハサミ、特に、理髪用の梳きバサミに関する。
【背景技術】
【０００２】
理髪時には、理髪用ハサミ（刃が２つとも平刃（直刃）のハサミ）を使って髪を切った後、最後の仕上げ時に梳きバサミが用いられる。
【０００３】
一般に、梳きバサミは、一方の刃が平刃（直刃）であり、他方の刃が櫛歯状になっている。
【０００４】
櫛歯状になっている刃は、刃をなす部分と、空洞の部分とが連続して形成されており、空洞の部分によっては、髪は切られることはなく、刃をなす部分によってのみ、髪が切られる。このため、理髪の仕上げ用として梳きバサミを使用することにより、髪を梳くことができる。すなわち、梳きバサミを使用することにより、短く刈った髪が混在するようにすることが可能になる。
【０００５】
梳きバサミの一例が特開２００７−２０９７６号公報に記載されている。
【０００６】
同公報に記載されている梳きバサミにおいては、各歯部片の先端の刃口にその口幅の中央部へ傾斜により低くなる窪み刃（同公報の図２における参照符号２１が「窪み刃」を示す）が形成されている。
【０００７】
このような窪み刃を設けることにより、刃口に髪が掛かりやすくなるため、髪のカット率を安定化させることができる、というものである。
【考案の開示】
【考案が解決しようとする課題】
【０００８】
しかしながら、本考案者の長年の研究によれば、梳きバサミにおける一番の問題は、上記公報が問題にしているように、刃口に髪が掛かりやすいか否かではなく、櫛歯状になっている刃による髪の切りすぎを防止することができるか否かであることが判明した。
【０００９】
本考案は、このような従来の梳きバサミにおける問題点に鑑みてなされたものであり、髪の毛の切りすぎを防止することを可能にするハサミを提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１１】
上記の目的を達成するため、本考案は、回動中心点（１３０）を中心として一方の側には刃部（１１１、１２１）が、他方の側には把手部（１１２、１２２）がそれぞれ形成されている一対のハサミ形成部材（１１０、１２０）を前記回動中心点（１３０）において相互に回動可能に連結することにより形成されたハサミ（１００）であって、前記一対のハサミ形成部材（１１０、１２０）の一方（１１０）の刃部は平刃であり、前記一対のハサミ形成部材（１１０、１２０）の他方（１２０）には、長さ方向に開口部（１４０）が相互に間隔を開けて形成されることにより、隣接する開口部（１１０）の間に櫛歯（１２５）が形成されており、前記櫛歯（１２５）の刃先には、前記ハサミ（１００）の前記把手部（１１２、１２２）側に位置する尖端部（１５０）と、前記尖端部（１５０）に連続して第一乃至第Ｎ（Ｎは２以上の整数）の段部（１５１、１５２）と、が形成されており、前記尖端部（１５０）の高さは前記段部（１５１、１５２）よりも高く形成されており、前記段部（１５１、１５２）の高さは前記尖端部（１５０）から遠ざかるほど低くなるものであるハサミ（１００）を提供する。
【００１２】
前記段部（１５１、１５２）の各々は前記ハサミ（１００）の前記把手部（１１２、１２２）側から前記ハサミ（１００）の先端側に向かって低くなる傾斜面を有していることが好ましい。
【００１３】
本考案は、さらに、回動中心点（１３０）を中心として一方の側には刃部（１１１、１２１）が、他方の側には把手部（１１２、１２２）がそれぞれ形成されている一対のハサミ形成部材（１１０、１２０）を前記回動中心点（１３０）において相互に回動可能に連結することにより形成されたハサミ（１００）であって、前記一対のハサミ形成部材（１１０、１２０）の一方（１１０）の刃部は平刃であり、前記一対のハサミ形成部材（１１０、１２０）の他方（１２０）には、長さ方向に開口部（１４０）が相互に間隔を開けて形成されることにより、隣接する開口部（１４０）の間に櫛歯（３２５）が形成されており、前記櫛歯（３２５）の刃先には、尖端部（１５０）と、前記尖端部（１５０）の両側に位置する第一乃至第Ｎ（Ｎは２以上の整数）の段部（１５１、１５２）と、が形成されており、前記尖端部（１５０）の高さは前記段部（１５１、１５２）よりも高く形成されており、前記段部（１５１、１５２）の高さは前記尖端部（１５０）から遠ざかるほど低くなるものであるハサミ（１００）を提供する。
【００１４】
前記段部（１５１、１５２）の各々は、例えば、水平な頂面を有している。
【００１５】
あるいは、前記段部（１５１、１５２）の各々は前記尖端部（１５０）から前記ハサミの先端側または前記把手部（１１２、１２２）側に向かって低くなる傾斜面を有するように構成することも可能である。
【００１６】
前記傾斜面の傾斜角度は、例えば、一定とすることができる。
【００１７】
前記尖端部（１５０）から最も離れた位置にある段部の前記傾斜面の傾斜角度が全ての段部の傾斜面の傾斜角度の中で最大であることが好ましい。
【考案の効果】
【００１８】
本考案に係るハサミにおいては、各櫛歯には第一乃至第Ｎの段部が形成されている。他方のハサミ形成部材の刃部と各段部との間に挟まれた髪の毛のうちのいくらかの量が第一の段部から第二の段部へ、さらに、第二の段部から順次第Ｎの段部へ、最後に、第Ｎの段部から開口部に落ち込む。開口部に落ち込んだ髪の毛はハサミによっては切られない。このため、本考案に係るハサミによれば、髪の毛の切りすぎを防止することが可能である。
【考案を実施するための最良の形態】
【００１９】
（第一の実施形態）
図１は、本考案の第一の実施形態に係るハサミ１００の平面図である。
【００２０】
本実施形態に係るハサミ１００は一対のハサミ形成部材、すなわち、第一のハサミ形成部材１１０と第二のハサミ形成部材１２０とからなる。
【００２１】
第一のハサミ形成部材１１０及び第二のハサミ形成部材１２０は、例えば、双方とも鋼鉄でつくられている。
【００２２】
第一のハサミ形成部材１１０には回動中心点となる箇所に孔（図１では見えない）が形成されており、この回動中心点となる孔の一方の側（図１の左側）には刃部１１１が、他方の側（図１の右側）には把手部としてのリング１１２が形成されている。
【００２３】
第二のハサミ形成部材１２０には回動中心点となる箇所に孔（図１では見えない）が形成されており、この回動中心点となる孔の一方の側（図１の左側）には刃部１２１が、他方の側には把手部としてのリング１２２が形成されている。
【００２４】
第一のハサミ形成部材１１０及び第二のハサミ形成部材１２０は、それぞれ回動中心点に形成されている孔に回動軸１３０を通すことによって、相互に回動可能に連結されている。
【００２５】
把手部としてのリング１１２、１２２に指を通し、回動軸１３０を中心として、第一のハサミ形成部材１１０及び第二のハサミ形成部材１２０を相互に回転させることにより、第一のハサミ形成部材１１０及び第二のハサミ形成部材１２０の各刃部１１１、１２１が相互に閉じた状態（図１に示す状態）と相互に開いた状態とを取ることができる。
【００２６】
第一のハサミ形成部材１１０の刃部１１１は平刃（直刃）として形成されている。
【００２７】
これに対して、第二のハサミ形成部材１２０の刃部１２１は櫛歯状に形成されている。
【００２８】
すなわち、本実施形態に係るハサミ１００はいわゆる梳きバサミである。通常、第一のハサミ形成部材１１０のリング１１２には薬指を、第二のハサミ形成部材１２０のリング１２２には親指を入れる。髪のカット時には、平刃の第一のハサミ形成部材１１０をほぼ静止状態に保持しておき、親指のみを反復して動かすことにより、第一のハサミ形成部材１１０及び第二のハサミ形成部材１２０の各刃部１１１、１２１を開閉させ、髪をカットする。このように、第一のハサミ形成部材１１０の刃部１１１は静止状態に保持され、さらに、第二のハサミ形成部材１２０の刃部１２１のみが動くため、第一のハサミ形成部材１１０の刃部１１１は「静刃」と、第二のハサミ形成部材１２０の刃部１２１は「動刃」と呼ばれることがある。
【００２９】
図１に示すように、第二のハサミ形成部材１２０の刃部１２１には、その長さ方向Lにおいて開口部１４０が一定間隔で形成されている。すなわち、第二のハサミ形成部材１２０の刃部１２１には、複数の開口部１４０が形成されている結果として、隣接する開口部１４０の間に櫛歯１２５が形成されている。
【００３０】
図２は第二のハサミ形成部材１２０の刃部１２１における櫛歯１２５の一つを拡大した平面図である。
【００３１】
図２に示すように、櫛歯１２５の刃先には、把手部を構成するリング１１２、１２２の側に位置する尖端部１５０と、尖端部１５０に隣接する第一の段部１５１と、第一の段部１５１に隣接する第二の段部１５２と、が形成されている。
【００３２】
尖端部１５０は第一の段部１５１及び第二の段部１５２よりも高く形成されている。
【００３３】
また、第一の段部１５１は第二の段部１５２よりも高く形成されている。すなわち、段部の高さは尖端部１５０から遠ざかるほど低くなるように設定されている。
【００３４】
第一の段部１５１及び第二の段部１５２はそれぞれ水平な頂面を有している。
【００３５】
なお、尖端部１５０及び各段部１５１、１５２の「高さ」とは、予め定めた基準位置（例えば、櫛歯１２５の根元あるいは回動軸１３０を通る水平線）からハサミ１００の長さ方向Ｌと直交する方向における尖端部１５０及び各段部１５１、１５２の各頂点までの長さを指す。
【００３６】
本実施形態に係るハサミ１００においては、各櫛歯１２５には第一の段部１５１及び第二の段部１５２が形成されている。第一のハサミ形成部材１１０の刃部１１１と各段部１５１、１５２との間に挟まれた髪の毛のうちのいくらかの量が第一の段部１５１から第二の段部１５２へ、さらに、第二の段部１５２から開口部１４０に落ち込む。開口部１４０に落ち込んだ髪の毛はハサミ１００によっては切られない。このため、本実施形態に係るハサミ１００によれば、髪の毛の切りすぎを防止することが可能である。
【００３７】
本実施形態に係るハサミ１００においては、尖端部１５０に連続して形成される段部１５１、１５２の数は２であるが、段部の数は２には限定されない。３個以上の任意の数の段部を形成することが可能である。すなわち、尖端部１５０に連続して形成される段部の数は２以上の任意の数を選択することが可能である。
【００３８】
（第二の実施形態）
図３は本考案の第二の実施形態に係るハサミにおける櫛歯２２５の一つを拡大した平面図である。
【００３９】
第二の実施形態に係るハサミは第一の実施形態に係るハサミ１００と比較して、櫛歯の形状のみが異なる。このため、以下、本実施形態における櫛歯２２５の形状のみを説明する。
【００４０】
本実施形態に係るハサミにおける櫛歯２２５は、第一の実施形態に係るハサミ１００における櫛歯１２５と比較して、各段部１５１、１５２が傾斜面を有している点において異なる。
【００４１】
すなわち、本実施形態に係るハサミにおいては、第一の段部１５１及び第二の段部１５２の各々はハサミの尖端部１５０からハサミの先端側に向かって低くなる傾斜面を有している。
【００４２】
各傾斜面の傾斜角度は一定である。
【００４３】
本実施形態に係るハサミによれば、第一のハサミ形成部材１１０の刃部１１１と各段部１５１、１５２との間に挟まれた髪の毛が第一の段部１５１から第二の段部１５２へ、さらに、第二の段部１５２から開口部１４０に落ち込むことが促進される。このため、本実施形態に係るハサミは、第一の実施形態に係るハサミ１００と比較して、さらに、髪の毛の切りすぎを防止することが可能である。
【００４４】
なお、本実施形態に係るハサミにおいては、各段部１５１、１５２の傾斜面の傾斜角度は一定であるものとしたが、各段部１５１、１５２の傾斜面の傾斜角度を一定にすることは必ずしも必要ではない。
【００４５】
図４は、本実施形態に係るハサミの変形例における櫛歯２２６の一つ拡大した平面図である。
【００４６】
図４に示すように、第一の段部１５１の傾斜面の傾斜角度と第二の段部１５２の傾斜面の傾斜角度とを相互に異なるものとすることが可能である。特に、図４に示すように、第二の段部１５２の傾斜面の傾斜角度を第一の段部１５１の傾斜面の傾斜角度よりも大きくすることが好ましい。３以上の段部を形成する場合には、最後の段部（尖端部１５０から最も離れた位置にある段部）の傾斜面の角度を最も大きくすることが好ましい。
【００４７】
（第三の実施形態）
図５は本考案の第三の実施形態に係るハサミにおける櫛歯３２５の一つを拡大した平面図である。
【００４８】
第三の実施形態に係るハサミは第一の実施形態に係るハサミ１００と比較して、櫛歯の形状のみが異なる。このため、以下、本実施形態における櫛歯３２５の形状のみを説明する。
【００４９】
図５に示すように、櫛歯３２５の刃先には、尖端部１５０と、尖端部１５０に隣接して尖端部１５０の両側に位置する一対の第一の段部１５１と、一対の第一の段部１５１の各々に隣接する一対の第二の段部１５２と、が形成されている。
【００５０】
一対の第一の段部１５１の各々は同じ高さを有しており、同様に、一対の第二の段部１５２の各々は同じ高さを有している。
【００５１】
尖端部１５０は第一の段部１５１及び第二の段部１５２よりも高く形成されている。
【００５２】
また、第一の段部１５１は第二の段部１５２よりも高く形成されている。すなわち、段部の高さは尖端部１５０から遠ざかるほど低くなるように設定されている。
【００５３】
第一の段部１５１及び第二の段部１５２はそれぞれ水平な頂面を有している。
【００５４】
なお、尖端部１５０及び各段部１５１、１５２の「高さ」とは第一の実施形態における「高さ」と同義である。
【００５５】
すなわち、本実施形態における櫛刃３２５は、第一の実施形態における櫛歯１２５の構造を尖端部１５０を中心として左右対称に配置した構造に相当する。
【００５６】
本実施形態に係るハサミによれば、第一のハサミ形成部材１１０の刃部１１１と各段部１５１、１５２との間に挟まれた髪の毛のうちのいくらかの量が第一の段部１５１から第二の段部１５２へ、さらに、第二の段部１５２から、櫛歯３２５の両側に位置する開口部１４０に落ち込む。すなわち、第一の実施形態に係るハサミ１００と比較して、開口部１４０に落ち込む髪の毛の量が多くなる。このため、本実施形態に係るハサミによれば、第一の実施形態に係るハサミ１００と比較して、髪の毛の切りすぎをさらに防止することが可能である。
【００５７】
本実施形態に係るハサミにおいても、第一の実施形態に係るハサミ１００の場合と同様に、尖端部１５０に連続して形成される段部の数は２以上の任意の数を選択することが可能である。
【００５８】
（第四の実施形態）
図６は本考案の第四の実施形態に係るハサミにおける櫛歯４２５の一つを拡大した平面図である。
【００５９】
第四の実施形態に係るハサミは第三の実施形態に係るハサミと比較して、櫛歯の形状のみが異なる。このため、以下、本実施形態における櫛歯４２５の形状のみを説明する。
【００６０】
本実施形態に係るハサミにおける櫛歯４２５は、第三の実施形態に係るハサミにおける櫛歯３２５と比較して、各段部１５１、１５２が傾斜面を有している点において異なる。
【００６１】
すなわち、本実施形態に係るハサミにおいては、第一の段部１５１及び第二の段部１５２の各々はハサミの尖端部１５０からハサミの先端側または把手部側に向かって低くなる傾斜面を有している。
【００６２】
各傾斜面の傾斜角度は一定である。
【００６３】
本実施形態に係るハサミによれば、第一のハサミ形成部材１１０の刃部１１１と各段部１５１、１５２との間に挟まれた髪の毛が第一の段部１５１から第二の段部１５２へ、さらに、第二の段部１５２から開口部１４０に落ち込むことが促進される。このため、本実施形態に係るハサミは、第三の実施形態に係るハサミと比較して、さらに、髪の毛の切りすぎを防止することが可能である。
【００６４】
また、第一の実施形態に係るハサミ１００の場合と同様に、各段部１５１、１５２の傾斜面の傾斜角度を一定にすることは必ずしも必要ではない。
【００６５】
すなわち、第一の段部１５１の傾斜面の傾斜角度と第二の段部１５２の傾斜面の傾斜角度とを相互に異なるものとすることが可能である。特に、第二の段部１５２の傾斜面の傾斜角度を第一の段部１５１の傾斜面の傾斜角度よりも大きくすることが好ましい。３以上の段部を形成する場合には、最後の段部（尖端部１５０から最も離れた位置にある段部）の傾斜面の角度を最も大きくすることが好ましい。
【図面の簡単な説明】
【００６６】
【図１】本考案の第一の実施形態に係るハサミの平面図である。
【図２】本考案の第一の実施形態に係るハサミにおける一方のハサミ形成部材の刃部における櫛歯一つを拡大した平面図である。
【図３】本考案の第二の実施形態に係るハサミにおける櫛歯の一つを拡大した平面図である。
【図４】本考案の第二の実施形態に係るハサミの変形例における櫛歯の一つ拡大した平面図である。
【図５】本考案の第三の実施形態に係るハサミにおける櫛歯の一つを拡大した平面図である。
【図６】本考案の第四の実施形態に係るハサミにおける櫛歯の一つを拡大した平面図である。
【符号の説明】
【００６７】
１００  本考案の第一の実施形態に係るハサミ
１１０、１２０  ハサミ形成部材
１１１、１２１  刃部
１１２、１２２  リング
１２５  櫛歯
１３０  回動軸
１４０  開口部
１５０  尖端部
１５１  第一の段部
１５２  第二の段部
２２５  第二の実施形態における櫛歯
２２６  第二の実施形態の変形例における櫛歯
３２５  第三の実施形態における櫛歯
４２５  第四の実施形態における櫛歯
【図１】
0003143522.tif 000003
【図２】
0003143522.tif 000004
【図３】
0003143522.tif 000005
【図４】
0003143522.tif 000006
【図５】
0003143522.tif 000007
【図６】
0003143522.tif 000008